(57)【要約】【課題】  簡単な構成でシーツを確実に挟持固定することのできるペット用トイレを提供する。【解決手段】  本発明のペット用トイレ１は、上面にシーツが敷設される板状のトレイ部２と、このトレイ部２の上部に着脱自在に取り付けられ、トレイ部２の周縁に適合する形状に形成された枠部材３とを備え、トレイ部２の上面周縁に所定間隔をおいて複数個の下ピン２４が立設されるとともに、隣り合う下ピン２４の間に対向配置される上ピン３４が枠部材３に設けられ、トレイ部２に敷設されたシーツが下ピン２４と上ピン３４との間に挟持固定されるように構成されている。【選択図】  図１
2008199955.tif 000002
【特許請求の範囲】
【請求項１】
上面にシーツが敷設される板状のトレイ部と、このトレイ部の上部に着脱自在に取り付けられ、トレイ部の周縁に適合する形状に形成された枠部材とを備えたペット用トイレであって、
前記トレイ部の上面周縁に所定間隔をおいて複数個の下ピンが立設されるとともに、隣り合う下ピンの間に対向配置される上ピンが枠部材に設けられ、トレイ部に敷設されたシーツが下ピンと上ピンとの間に挟持固定されることを特徴とするペット用トイレ。
【発明の詳細な説明】
【技術分野】
【０００１】
本発明は、犬や猫などのペットが室内で使用するペット用トイレに関する。
【背景技術】
【０００２】
室内で飼われている犬や猫などのペットのためのトイレとして、ペットが入る大きさのトレイに、トレイ内の汚れを防止するシーツを敷いて使用するタイプのものがあり、汚れたシーツを適宜取り替えられるようになっている。
【０００３】
この種のトイレは、上面にシーツが敷設される板状のトレイ部と、このトレイ部の上部に着脱自在に取り付けられ、トレイ部の周縁に適合する形状に形成された枠部材とを備え、トレイ部の上面周縁と枠部材下周縁とによってシーツを挟持固定するものが従来から用いられている（例えば、特許文献１、２参照。）。
【０００４】
これらの特許文献に記載されているペット用トイレは、トレイ部の枠部材との対峙面に突状や嵌合突起が形成されるとともに、これら突状や嵌合突起に対応する枠部材の内側に突状受容部や筒状嵌合部が形成されており、それぞれ突状と突状受容部との間、或いは嵌合突起と筒状嵌合部との間にシーツが挟持固定されるようになされている。
【特許文献１】実用新案登録第３０２３９５０号公報
【特許文献２】特開平８−５６５２２号公報
【発明の開示】
【発明が解決しようとする課題】
【０００５】
上記特許文献に記載されたペット用トイレは、突状が突状受容部内に嵌め込まれるように、或いは嵌合突起が筒状嵌合部内に嵌め込まれるように形成されており、これら突状と突状受容部、或いは嵌合突起と筒状嵌合部との間にシーツを挟み、突状を突状受容部に、或いは嵌合突起を筒状嵌合部に嵌合することで、シーツが挟持固定されるように構成されている。
【０００６】
したがって、突状と突状受容部、或いは嵌合突起と筒状嵌合部の位置がずれると、突状や嵌合突起を突状受容部や筒状嵌合部に嵌め入れることができなくなってしまい、シーツが確実に挟持固定されないといった問題が生じる。
【０００７】
また、突状受容部や筒状嵌合部は、突状や嵌合突起の形状に対応してこれら突状や嵌合突起を包み込む形状に形成されているので、突状受容部や筒状嵌合部に汚れが入り込みやすく、一旦汚れが付着すると洗うのが困難であり、また、構造が複雑になるため製造コストが嵩むなどの問題が生じることになる。
【０００８】
そこで本発明は、上記のような従来の問題点にかんがみてなされたものであり、簡単な構成でシーツを確実に挟持固定することのできるペット用トイレを提供しようとするものである。
【課題を解決するための手段】
【０００９】
上記した目的を達成するため、本発明に係るペット用トイレは、上面にシーツが敷設される板状のトレイ部と、このトレイ部の上部に着脱自在に取り付けられ、トレイ部の周縁に適合する形状に形成された枠部材とを備えたペット用トイレであって、前記トレイ部の上面周縁に所定間隔をおいて複数個の下ピンが立設されるとともに、各下ピンの間に対向配置される上ピンが枠部材に設けられ、トレイ部に敷設されたシーツが下ピンと上ピンとの間に挟持固定されることを特徴としている。
【００１０】
この構成によれば、トレイ部の上面周縁に所定間隔をおいて複数個の下ピンが立設されるとともに、隣り合う下ピンの間に対向配置される上ピンが枠部材に設けられているので、上下のピンの先端縁によってシーツを挟み確実に固定することができる。
【００１１】
また、枠部材には上ピンが設けられており、下ピンを包み込むような形状ではなく単にピンが突出しているだけなので、汚れが付着し難く、たとえ汚れが付着した場合であっても簡単に洗うことができる。また、構造が簡単で製造コストも低減することができる。
【００１２】
さらに、トレイ部の隣り合う下ピンの間に対向配置されるように上ピンが設けられており、下ピンと上ピンとを嵌合するような構成ではないので、下ピンと上ピンの位置がずれた場合であってもシーツを確実に挟持固定することができる。
【発明の効果】
【００１３】
上述のように構成される本発明のペット用トイレによれば、簡単な構成でシーツを確実に挟持固定することができる。
【発明を実施するための最良の形態】
【００１４】
以下、本発明に係るペット用トイレを実施するための最良の形態について、図面を参照しながら説明する。
【００１５】
図１〜図４は、本発明に係るペット用トイレの一例を示している。
【００１６】
なお、以下の説明では図示したペット用トイレにおける方向性を、便宜上、図１に示すように左右方向および前後方向を規定して説明するものとする。
【００１７】
本実施形態に係るペット用トイレ１は合成樹脂製であり、平面視略長方形状のトレイ部２と、このトレイ部２の周縁に外嵌される枠部材３を備えている。
【００１８】
トレイ部２は、汚れを防止するシーツ４をその底面２１で受け、底面２１の外周部に山型形状の周壁２２が立設されている。また底面２１には、周壁２２との間に凹部２３が周壁２２に沿って設けられている。
【００１９】
この凹部２３の幅方向中央部には、所定間隔をおいて複数個の下ピン２４が立設されている。この下ピン２４は先端が尖った棒状体であって、鋭利な先端縁によりシーツを確実に固定することができるように図られている。
【００２０】
また、周壁２２の後側外周面には、軸受け部（図示省略）が均等間隔で設けられており、前側外周面には、係合突部２５が設けられている。
【００２１】
枠部材３は、トレイ部２の周壁２２に重なり合う山型の断面形状を有して形成されるとともに、周壁２２の外側に設けられた軸受け部に対応する位置に、それぞれ回動軸部（図示省略）が設けられている。したがって、トレイ部２の軸受け部は、この回動軸部の軸まわりに嵌合しうる断面略C字状に突設されていることが好ましい。そして、この回動軸部を軸受け部に嵌め合わせることによって、枠部材３がトレイ部２に対して回動可能に取り付けられている。また、少なくともトレイ部２の軸受け部が、弾性を有する合成樹脂材料により形成されていることが好ましく、材料の弾性によってトレイ部２の軸受け部に嵌着自在となされている。これにより、枠部材３はトレイ部２に対して、適宜、着脱可能な構成となっている。
【００２２】
なお、本発明において、トレイ部２の外側に回動軸部が設けられて、枠部材３に軸受け部が設けられる構成であってもよい。
【００２３】
また、枠部材３において、周壁２２の係合突部２５に対応する位置には、係合突部２５を嵌め入れる係合穴３２が形成されており、これら係合突部２５と係合穴３２とが係合することにより枠部材３がトレイ部２に取り付けられた状態を保持できるようになされている。そして、枠部材３の弾性によって係合突部２５と係合穴３２との係合を解除すれば、枠部材３をトレイ部２から離脱させることができ、枠部材３をトレイ部２に対して回動させてシーツ４を容易に取り替えることができる。
【００２４】
さらに、枠部材３の内周には、トレイ部２の凹部２３に立設された下ピン２４に対応して上ピン３４が立設されている。この上ピン３４は、枠部材３をトレイ部２に取り付けた状態で隣り合う下ピン２４の間に対向配置されるように設けられている。
【００２５】
すなわち、枠部材３をトイレ部２に重ね合わせた際、下ピン２４に隣接するように上ピン３４が配置されている。したがって、トレイ部２の底面２１にシーツ４が敷き込まれた後、枠部材３をトレイ部２の周壁２２に重ねるように閉じると、トレイ部２に敷設されたシーツ４が下ピン２４と上ピン３４との間に挟持固定される。上ピン３４も前述した下ピン２４と同様に先端が尖った棒状体からなっており、鋭利な先端縁によりシーツ４を確実に固定することができる（図４参照）。
【００２６】
なお、枠部材３の内周に、枠部材３の周縁部を補強する補強リブ３１を設けてもよい。
【００２７】
また、枠部材３の上面内周側にカバー取付用爪３３を突設して、シーツ４の表面を保護するカバー部材を取り付けられるようにしてもよい。
【００２８】
さらに、本発明のペット用トイレは、図５に示すように、シーツを２枚敷設可能に形成された大きなサイズのものも好適に用いられる。
【００２９】
なお、このペット用トイレ１０の説明において、上記した実施形態のペット用トイレと同一の構成のものについては同一の符号を付している。
【００３０】
このペット用トイレ１０では、周壁２２の幅方向（図１における左右方向）の中央部には、山型形状の頂部に係止凹部２２１が設けられている。
【００３１】
また、トレイ部２の底面２１には、このトレイ部２の内側を幅方向に二分割する略中央部に係着溝２６が設けられている。係着溝２６には、溝幅よりも微少寸法小さい幅で形成された押さえ部材２７が嵌められる。この押さえ部材２７は、合成樹脂製の帯状部材であり、両端が屈曲されて立ち上げ形成されて爪２７１を備えている。これにより、押さえ部材２７は周壁２２の内側面から凹部２３に沿って、底面２１の係着溝２６にちょうど嵌め込まれる形状とされている。押さえ部材２７は係着溝２６の溝幅よりもやや小さく形成されており、両端部の爪２７１が周壁２２の係止凹部２２１に係止されて固定されるようになっている。
【００３２】
なお、上記した図１〜図４に示すペット用トイレ１と同様に、トレイ部２の上面周縁に所定間隔をおいて複数個の下ピン２４が立設されるとともに、隣り合う下ピン２４の間に対向配置される上ピン３４が枠部材３に設けられ、トレイ部２に敷設されたシーツ４が下ピン２４と上ピン３４との間に挟持固定されるように構成されている。
【００３３】
また、このトイレ１において枠部材３の内側には、シーツ４のずれを抑えるカバー板材５を設置するようにしてもよい。図示するように、このカバー板材５は、略長方形状の板状部材であり、略全面に多数の丸孔５１が形成されている。また、カバー板材５の周縁部には半円状の切欠５２が２箇所に対向して設けられている。
【００３４】
このカバー板材５は、枠部材３の上面において内周に沿って複数箇所に設けられた略コ字状のカバー取付用爪３３に対して、その周縁部を係合させて保持される。
【００３５】
なお、かかるカバー板材５は、図５に例示するように、枠部材３の内側を略二分割する大きさで形成されて、二枚のカバー板材５が枠部材３に嵌め込まれてもよいし、枠部材３の内側とほぼ同寸のカバー板材５が一枚嵌め込まれる構成であってもよい。いずれの場合にも、カバー板材５がシーツ４の機能を損なうことなくシーツ４の表面を押さえて固定するので、ペットの動作でシーツ４がずれたり、シーツ４を破ったりするのを防ぐことができる。
【産業上の利用可能性】
【００３６】
本発明は、室内で飼われている犬や猫などのペットのためのトイレとして好適に利用することができる。
【図面の簡単な説明】
【００３７】
【図１】本発明に係るペット用トイレの枠部材を上方へ開いた状態を示す斜視図である。
【図２】本発明に係るペット用トイレの分解斜視図である。
【図３】図２のペット用トイレのＡ−Ａ断面図である。
【図４】本発明に係るペット用トイレの一部分を拡大した断面図である。
【図５】本発明に係るペット用トイレの変形例を示す分解斜視図である。
【符号の説明】
【００３８】
１、１０    ペット用トイレ
２    トレイ部
２１  底面
２２  周壁
２３  凹部
２４  下ピン
３    枠部材
３４  上ピン
４    シーツ
【図１】
2008199955.tif 000003
【図２】
2008199955.tif 000004
【図３】
2008199955.tif 000005
【図４】
2008199955.tif 000006
【図５】
2008199955.tif 000007